(57)【要約】  本発明は、第一の機器を、電気的接続部および光学的接続部を含むケーブルを介して第二の機器または装置に接続するための差込接続部に関する。前記第一の機器は機器用コネクタを、前記装置は装置用コネクタを、それぞれケーブルの差込プラグを収容するために有している差込接続部において、前記機器用コネクタと、同様に装置用コネクタは手段を有しており、それによって、好ましくは入力側で前記機器用コネクタに供給された電気的信号の一部を、前記機器用コネクタ内に設けられているコントローラ／トランシーバによって、接続されている前記ケーブルが光学的導線を有していることと、前記装置用コネクタが、光学的信号と電気的信号とを受信するために形成されていることが検出された場合に、光学的信号に変換することを特徴とする。
2014501017.tif 000002
【特許請求の範囲】
【請求項１】
第一の機器（１）を、電気的接続部および光学的接続部を含むケーブル（１１２）を介して第二の機器または装置（２１０）に接続するための差込接続部であって、前記第一の機器（１）は機器用コネクタ（１１）を、前記装置（２１０）は装置用コネクタ（１１３）を、それぞれ前記ケーブル（１１２）の差込プラグを収容するために有している差込接続部において、
前記機器用コネクタ（１１１）と、同様に装置用コネクタ（１１３）は手段を有しており、それによって、好ましくは入力側で前記機器用コネクタ（１１１）に供給される電気的信号の一部を、前記機器用コネクタ（１１１）内に設けられているコントローラ／トランシーバ（５０）によって、接続されている前記ケーブル（１１２）が光学的導線（８６４，８５７）を有していることと、前記装置用コネクタ（１１３）が、光学的信号および電気的信号を受信するために形成されていることが検出された場合に、光学的信号に変換することを特徴とする差込接続部。
【請求項２】
コントローラ／トランシーバ駆動手段（５３）が設けられており、当該コントローラ／トランシーバ駆動手段は、「リンク・アウェア」チップを前記機器用コネクタおよび前記装置用コネクタ内に有しており、それによって、電気的伝送と光学的伝送の切り替えを行う、請求項１に記載の差込接続部。
【請求項３】
前記機器用コネクタ（１１１）に供給される電気的信号はＵＳＢ３信号であり、前記機器用コネクタは前記電気的ＵＳＢ３信号を光学的ＵＳＢ３信号に変換することができ、前記ケーブル（１１２）によって伝送される前記光学的ＵＳＢ３信号は、前記装置用コネクタによって、前記装置（２１０）において使用するために電気的ＵＳＢ３信号に変換可能であることを特徴とする請求項１または２に記載の差込接続部。
【請求項４】
改良型ＵＳＢ機器用差込接続部、特にハイブリッドコネクタであり、機器（１）の接続のための接続側と、光学的および／または電気的信号伝送を可能にするとともに、受信機器（２）のＵＳＢ端子と接続されているケーブル（１１２）との接続のための接続側とを有する改良型ＵＳＢ機器用差込接続部であって、
前記機器（１）から送信される電気的ＵＳＢ信号として表される電気的機器信号は、前記接続されたケーブルが、光学的ＵＳＢ３信号伝送を可能にするケーブルであるとき、前記機器用差込接続部（１１１）において、光学的ＵＳＢ信号に変換可能であり、
前記受信機器（２）自体が、または好ましくはハイブリッドコネクタ（１１３）を用いることにより、同様に光学的ＵＳＢ３信号を受信するために構成されている、改良型ＵＳＢ機器用差込接続部。
【請求項５】
前記ハイブリッドコネクタ（１１１）にコンバータ手段が含まれており、当該コンバータ手段は、前記機器（１）から電気的ＵＳＢ３信号が供給されるとき、当該電気的ＵＳＢ３信号を光学的ＵＳＢ３信号に変換するとともに、前記ケーブル（１１２）に供給する、請求項４に記載の改良型ＵＳＢ機器用差込接続部。
【請求項６】
前記ハイブリッドコネクタ（１１３）にコンバータ手段が含まれており、当該コンバータ手段は、前記ケーブル（１１２）から光学的ＵＳＢ３信号が供給されるとき、当該光学的ＵＳＢ３信号を電気的ＵＳＢ３信号に変換するとともに、前記受信機器（２）に供給する、請求項４または５に記載の改良型ＵＳＢ機器用差込接続部。
【請求項７】
前記コンバータ手段の選択は、前記コンバータ手段が前記ケーブル（１２；１１１２）と前記受信機器（２）の特性に基づいて、前記電気的ＵＳＢ３信号が光学的ＵＳＢ３信号に変換されるべきかどうか決定するように行われている、請求項１から６のいずれか一項に記載の改良型ＵＳＢ機器用差込接続部。
【請求項８】
前記手段の構成は、前記手段が前記接続されているケーブルと前記受信機器の電気的特性に基づいて、前記ＵＳＢ３信号が前記機器用差込プラグの出力部に電気的信号として現れるか、あるいは光学的信号として現れるか決定するように行われている、請求項１から７のいずれか一項に記載の改良型ＵＳＢ機器用差込接続部。
【請求項９】
機器（１）に接続するためのハイブリッドコネクタであり、それによって当該機器（１）から供給される信号、特にＵＳＢ３信号を、光学的伝送を可能にするケーブル（１１２）を介して第二の機器もしくは受信機器（２）であって、光学的ＵＳＢ３信号を受信できるか、あるいは、光学的信号を受信するとともに電気的ＵＳＢ３信号に変換するハイブリッドコネクタ（１１３）を有している第二の機器もしくは受信機器に伝送するために、前記ＵＳＢ３信号に相当する光学的信号に変換するためのハイブリッドコネクタ。
【請求項１０】
前記コネクタはコントローラ／トランシーバ（５０）を有しており、当該コントローラ／トランシーバは、電気的ＵＳＢ３信号を光学的ＵＳＢ３信号に変換することができるとともに、受信される光学的ＵＳＢ３信号を電気的ＵＳＢ３信号に変換することができる請求項９に記載のハイブリッドコネクタ。
【請求項１１】
前記コントローラ／トランシーバ（５０）はコントローラ部分（５１）と、トランシーバ部分（５２）を有しており、前記コントローラ部分（５１）内に回路（６２，６３，６４，６５）が含まれており、当該回路はコントローラおよびトランシーバ駆動手段（５３）によって、前記機器（４）から来る電気的ＵＳＢ３信号が光学的ＵＳＢ３信号に変換されるべきか、前記ケーブル（１１２）を介して伝送される光学的ＵＳＢ３信号が電気的ＵＳＢ３信号に変換されるべきか、に応じて制御される、請求項１０に記載のハイブリッドコネクタ。
【請求項１２】
前記トランシーバ部分（５２）は二つのコンバータ（６０，６１）、すなわち電気光学的コンバータ（６０）と、光電子工学的コンバータ（６１）を有している、請求項１０または１１に記載のハイブリッドコネクタ。
【請求項１３】
前記コネクタは、ＵＳＢ３信号伝送のほかに、電気的なＵＳＢ２信号伝送も備えている、請求項１から１２のいずれか一項に記載のハイブリッドコネクタ。
【請求項１４】
通常のＵＳＢ３ケーブルと差込式に接続可能な電気的および光学的ＵＳＢ接続のためのアクティブ・ハイブリッドコネクタであり、当該コネクタ内にはしかし「リンク・アウェア・チップ」が設けられており、当該「リンク・アウェア・チップ」は電気的接続と光学的接続を切り替える、アクティブ・ハイブリッドコネクタ。
【請求項１５】
小型化された光電子工学的トランシーバが前記ＵＳＢコネクタに組み込まれている、請求項１４に記載のアクティブ・ハイブリッドコネクタ。
【請求項１６】
前記トランシーバは、ドライバおよびレシーバＩＣを有しており、当該ドライバおよびレシーバＩＣは、ＵＳＢケーブルが接続されているかどうか、しかも当該ケーブルの他方の端部にハイブリッドコネクタを備えているかどうか検出することができ、それが検出された場合は、伝送が光学的に実施され、これに対してそれが検出されない場合は、前記ＩＣが、電気的なＵＳＢ信号の当該ＩＣの「リピータ」において作動する、請求項１５に記載のアクティブ・ハイブリッドコネクタ。
【発明の詳細な説明】
【技術分野】
【０００１】
本発明は一般に、複数の、例えば二つの機器の間の電気光学式機器用差込接続部と、機器と電気光学式ケーブル（ハイブリッドケーブル）の間の電気光学式差込接続部と、電気光学式コネクタと、電気光学式差込プラグとに関する。本発明は好ましくは、特に機器、例えば第一および第二の機器に組み込むためのＵＳＢ３．５コネクタに関する。
【背景技術】
【０００２】
本発明に係る電気光学式コネクタ、特に本発明に係るＵＳＢ３．５コネクタは電気的信号を用いるデータ伝送を可能にするが、光学的データ信号を伝送するための相応の条件が整えば、それによって例えばより大きなデータ伝送速度を達成することができる。
【０００３】
ＵＳＢ３．０規格に従って動作し、かつ、ＵＳＢ２．０規格に応じた差込接続器と協働できる差込接続器がすでに知られている。すなわち、ＵＳＢ３．０規格に応じたこれらの差込接続器は、下位に向かって、すなわちＵＳＢ２．０差込接続器に対して互換性を有する。
【発明の概要】
【発明が解決しようとする課題】
【０００４】
本発明は、電気的および／または光学的信号を用いるデータ伝送を可能とする電気光学式差込接続器、特にＵＳＢ差込接続部を提供することを課題とする。
【課題を解決するための手段】
【０００５】
本発明により以下のものが提供される。すなわち、第一の機器を、電気的接続部および光学的接続部を含むケーブルを介して第二の機器または装置に接続するための差込接続部であって、前記第一の機器は機器用コネクタを、前記装置は装置用コネクタもしくは機器用コネクタを、それぞれケーブルの差込プラグを収容するために有しており、前記機器用コネクタと、同様に装置用コネクタは手段を有しており、それによって、好ましくは入力側で前記機器用コネクタに供給される電気的信号の一部を、以下の場合に光学的信号に変換することを特徴とする。すなわち、コントローラ／トランシーバによって、接続されているケーブルが光学的導線を有していることと、前記装置用コネクタまたは機器用コネクタが、光学的信号および電気的信号を受信するために形成されていることが検出された場合に、電気的信号の一部を光学的信号に変換する。
【０００６】
本発明に応じて形成されたＵＳＢ３コネクタを、ここでＵＳＢ３．ｘコネクタと称する。当該ＵＳＢ３．ｘコネクタは、ＵＳＢ２．０規格およびＵＳＢ３．０規格に応じた電気的信号を用いるデータ伝送のほかに、光学的信号を用いるデータ伝送も可能とする。
【０００７】
本発明によれば、（第一の）機器、例えばコンピュータに組み込み可能なＵＳＢ３．ｘコネクタは、当該ＵＳＢ３．ｘコネクタに供給される電気的信号を光学的信号に変換するとともに、当該光学的信号をＵＳＢ３．ｘコネクタの対応する出力部において、さらなる伝送のために提供するための手段を有している。
【０００８】
変換手段は好ましくは、光学的信号を伝送するために必要な前提が満たされているかどうか、すなわち、例えば光学的信号を伝送するケーブルが接続されており、かつ、当該ケーブルが光学的信号を受信するために好適な（第二の）機器に接続されているかどうか、検出する手段を有している。
【０００９】
本発明は特に小型化された光電子工学的トランシーバを備えており、当該光電子工学的トランシーバはＵＳＢ３．ｘコネクタに組み込まれているとともに、当該ＵＳＢ３．ｘコネクタが組み込まれている（第一もしくは第二の）機器の、機器特有の回路と接続可能である。
【００１０】
本発明によれば、コントローラ／トランシーバは、ＵＳＢ３．ｘコネクタに組み込まれている。当該トランシーバはインテリジェントなドライバおよび受信ＩＣを有している。トランシーバは、ＵＳＢ３．ｘケーブルがコネクタに接続されているか、また、光学式ＵＳＢ３．ｘケーブルの他方の端部に対応するＵＳＢ３．ｘコネクタを具備しているか、検出する。
【００１１】
本発明により、第一の機器のＵＳＢ３．ｘコネクタに設けられている手段、特にコントローラ／トランシーバのコントローラおよびトランシーバ駆動手段は、第二の機器においてケーブルの他方の端部に、ＵＳＢ３．ｘケーブルとＵＳＢ３．ｘコネクタ（ハイブリッドコネクタ）の双方が設けられており、光学式データ伝送を行うかどうか、検出する。
【００１２】
すなわち、本発明に係るＵＳＢ３．ｘコネクタは上記の「リンク・アウェア（ｌｉｎｋ  ａｗａｒｅ）」なトランシーバを有している。言い換えれば、光学的接続のための前提が備わっているか検出できるトランシーバを有している。
【００１３】
本発明のさらなる有利点、目的および詳細は、図面に基づく実施の形態の説明に記載されている。図面に示すのは以下の通りである。
【図面の簡単な説明】
【００１４】
【図１】二つの機器に組み込まれた二つのＵＳＢ３．０コネクタであって、ＵＳＢ３．          ０ケーブル・アセンブリによって接続されているＵＳＢ３．０コネクタを概略          的に示す図である。
【図２】図１のＵＳＢ３．０コネクタの細部を示す図である。
【図３】第一の機器と第二の機器との光学式ハイブリッドケーブルを介する機器用差込          接続部の、本発明に係る構造を概略的に示す図である。
【図４】第一の機器に組み込まれているとともに、光学的信号の伝送が可能かどうか検          出するために光学的信号を提供するための本発明に係る手段を有するハイブリ          ッドコンピュータコネクタもしくはＵＳＢ３コネクタを示す図である。
【図５】電気的信号または光学的信号を、特に伝送可能性に応じて選択的に伝送するた          めの手段の詳細を示す図である。
【図６】二つのＵＳＢ３．ｘコネクタ同士の接続部であって、ＵＳＢ３．０ケーブルの          ために光学的信号伝送ができない接続部を示す図である。
【図７】図８に示すコネクタの端面を示す図である。
【図８】機器に組み込むべきコネクタを出力部側から斜視的に示す図である。
【発明を実施するための形態】
【００１５】
図１は、導体７，１；７，２；７，３；…を有するケーブル１２を用いた、第一の機器１（例えばコンピュータ；以下においてコンピュータ１として第一の機器が参照される）と、第二の機器２（例えばハードディスク；以下においてハードディスク２という概念を用いて第二の機器が参照される）の間の、既知の差込接続部（機器用差込接続部）１０を概略的に示している。第二の機器は受信機器または装置２とも称される。
【００１６】
機器用差込接続部１０は以下のものを有している。すなわち、複数の入力部８，１；８，２；８，３；…を有するコネクタ１１、好ましくはＵＳＢ３コネクタ（以下においてコンピュータコネクタ１１という概念で、コネクタ１１が参照される）と、さらなるＵＳＢ３コネクタ１３（以下においてハードディスクコネクタ１３として参照されるものとする）を有しており、当該二つのコネクタ１１および１３の間で、ケーブル１２、例えばＵＳＢ３ケーブル（ＵＳＢ３ケーブル・アセンブリ）１２が電気的な接続、すなわち電気的伝送経路を提供している。
【００１７】
以下において特にコンピュータコネクタ１１に関連させて本発明を説明するが、類似の実施の形態はハードディスクコネクタ１３にも当てはまる。
【００１８】
詳細な説明において、「入力側」および「出力側」、ならびに「入力部」または「出力部」という概念が、あたかも情報伝送が常にコンピュータ１内に設けられているコンピュータ回路４から、ハードディスク１０内に設けられているハードディスク回路に向かってのみ行われるかのように用いられている点を指摘したい。コンピュータ回路４は出力端子５，０−５，８を有している。当然ながら情報伝送は、例えば図５の光電子工学的コンバータ６１の場合のように逆方向にも生じ得る。
【００１９】
コンピュータコネクタ１１は多数の入力端子６，０から６，８を有しており、−図２を参照―当該入力端子はコンピュータコネクタ１１の対応する出力端子６，０ａから６，８ａと接続されている。前記入力端子６，０から６，８は、電気的なコンピュータ回路４の対応する出力端子５，０−５，８と接続されている。当該電気的回路は以下において、コンピュータ電子機器４としても参照される。ＵＳＢ３．０コンピュータコネクタの場合、入力端子６，２および６，３は、ＵＳＢ２．０コネクタのＤ-接続およびＤ+接続のために設けられていてよく、コンピュータコネクタ１１の対応する出力端子６，２ａおよび６，３ａは、ケーブル１２の二つの導体もしくは導体端子７，２および７，３と接続されており、それによって、入力端子８，３および８，２との接続を提供する。当該入力端子８，２および８，３は対応する出力端子Ｄ+およびＤ-を有している。
【００２０】
同様に−図１を参照―、コンピュータコネクタ１１の入力端子６，４から６，８によってＵＳＢ３接続部が作り出され、ＳＳＴＸ-接続およびＳＳＴＸ+接続には端子６，５および６，７が配設されており、当該端子６，５および６，７はその後、ケーブル１２の対応する二つの導体と接続されているとともに、ケーブル１２の電線接続を介してハードディスクコネクタ１３の対応する端子９，５および９，７に接続されている。今、説明した接続経路は、ＵＳＢ３接続部の一方の接続経路であり、当該ＵＳＢ３接続部の他方の接続経路は、図１でその上に設けられている接続経路であって、当該接続経路に関しては、コンピュータコネクタ端子６，６、導体端子７，６、およびハードディスクコネクタ端子９，６が示されている。
【００２１】
以下に、図３から５および７および６に基づいて本発明を説明する。図６は、本発明に係るコネクタと共に、本発明によって形成されていないケーブルが用いられている場合を表している。
【００２２】
図３は、第一の機器（例えばコンピュータ）１に配設された、本発明に係る方法で形成されているハイブリッドコネクタ１１１を示している。第一の機器１のハイブリッドコネクタ１１１は、コンピュータコネクタまたはハイブリッドコンピュータコネクタまたはハイブリッド機器用コネクタ１１１として参照され、第二の機器もしくは装置２のハイブリッドコネクタ１１３は、ハードディスクコネクタ、ハイブリッドハードディスクコネクタまたはハイブリッド装置用コネクタ１１３と称される。「ハイブリッド光ケーブル・アセンブリ」とも称され得る特殊なケーブル１１２は、コンピュータコネクタ１１１（ハイブリッド・レセプタクルとも称され得る）をハードディスクコネクタ１１３（ハイブリッド・レセプタクルとも称され得る）に接続する。ケーブル１１２はＵＳＢ２に特有のワイヤのほかに、二つの光学的導体８６４，８５７を有しており、当該光学的導体は第一および第二のＵＳＢ３接続部のケーブル１２の電線に代わるものである。
【００２３】
このようにハイブリッドコンピュータコネクタ１１１は、ＵＳＢ２接続部のほかに選択的に、ケーブル１１２の対応する線を介して図１に示される方法によって、あるいは、−図３を参照―光学的接続部もしくは導体８６４および８５７を介して、ＵＳＢ３接続部を提供する。
【００２４】
上記の点を可能にするために、ハイブリッドコンピュータコネクタ１１１にも、ハイブリッドハードディスクコネクタ１１３にも、コントローラ／トランシーバ、すなわち制御装置／送受信装置５０が実装されている。
【００２５】
上記と同様、ハイブリッドコンピュータコネクタ１１１に関してのみ、図４および５を参照しながらハイブリッドコンピュータコネクタ１１１の構造を説明する。
【００２６】
入力側においてハイブリッドコンピュータコネクタ１１１は（図３）、従来のＵＳＢ３コンピュータコネクタ１１と同様に形成されている。出力側においてハイブリッドコンピュータコネクタ１１１は、付加的に二つの光学的出力部ＣＯ１およびＣＯ２を備えている。すなわちハイブリッドコンピュータコネクタ１１１は選択的に、入力端子６，４から６，７を介して供給される電気的信号を、ケーブル１２内に光学的導体８５７および８６４が設けられておらず、加えて、ハードディスク２の側にハイブリッドハードディスクコネクタ１１３が設けられていない場合は、導電体を介して電気的にさらに伝送する。
【００２７】
本発明によれば、ハイブリッドコンピュータコネクタ１１１にも（および当然ながらハイブリッドハードディスクコネクタ１１３にも）コントローラ／トランシーバ５０が実装されており、当該コントローラ／トランシーバは図５において詳細に示されている。コントローラ／トランシーバ５０はコントローラ部分５１およびトランシーバ部分５２、さらにコントローラおよびトランシーバ駆動手段５３を有している。これらの構成要素はコンバータ手段としても参照される。
【００２８】
トランシーバ部分５２は特に、二つの電気光学的コンバータ６０，６１、すなわち電気光学的コンバータ６０および光電気コンバータ６１を有している。電気光学的コンバータ６０は当該電気光学的コンバータの入力部において電気的信号を光学的信号に変換するとともに、出力部ＣＯ１に供給することができる。
【００２９】
光電気コンバータ６１は入力側で、端子ＣＯ２に供給された光学的信号を受信し、必要な場合は当該光学的信号を電気的信号に変換する。電気的信号はその後、回路６２，６３を介して端子６，４、６，６に供給される。
【００３０】
入力端子６，５、６，７における電気的信号はその後、回路６４および６５が図に示す光学的伝送位置にある場合は、電気光学的コンバータ６０と接続されている。同様に光学的／電気的コンバータ６１の電気的出力信号も、回路６３，６４が光学的伝送位置に設けられている場合は、端子６，４および６，６と接続されている。
【００３１】
コントローラおよびトランシーバ駆動手段５３は、全てのハードウェアおよびソフトウェア・コンポーネントを含んでおり、それによって必要とされるトランシーバおよびコントローラ操作を実行する。
【００３２】
コントローラおよびトランシーバ駆動手段５３には例えば、「リンク・アウェア・チップ」が実装されていてよく、当該「リンク・アウェア・チップ」は電気的接続と光学的接続を切り替える。
【００３３】
トランシーバ部分５２に組み込まれているトランシーバ５０は、若干の知能を備えたドライバおよびレシーバＩＣを有し得る。トランシーバ５０自体は、光学的ＵＳＢケーブル１１２が利用可能かどうか、しかも他方の端部に設けられたハイブリッドハードディスクコネクタ１１３と共に利用可能かどうか検出することができる。この点が検出された場合は、ＵＳＢ３伝送が光学的に実施されるが、上記の点が検出されなかった場合は、前記ＩＣが、電気的なＵＳＢ信号のリピータとして用いられる。当該機能はまた、単純なパッシブ型ＵＳＢ２．３コネクタと比べていくつかの有利点を備えている。
【００３４】
トランシーバ５０によって、光学的ＵＳＢケーブル１１２と、他方の端部に設けられたハイブリッドコネクタの存在が検出される点が重要である。
【００３５】
図５における制御部分５１は制御部およびトランシーバ駆動手段５３に代表される手段によって、どのケーブル接続部が設けられているかを識別できるが、その識別は標準的なＵＳＢケーブルにおいて電気的信号を電気的な端子またはピンに伝えるか、あるいは、本図において電気光学的コンバータ６０および光学的／電気的コンバータ６１によって表されている、内部の光電子工学的トランシーバに伝えるかに応じて行われる。
【００３６】
図７および８は本発明に係るコネクタ１１，１３の機械的構造を示している。当該コネクタはコンピュータコネクタ１１としても、ハードディスクコネクタ１３としても用いられ得る。
【００３７】
対応するコンタクトアームの、一列に設けられた５個の出力端子６，４ａ，６，６ａ，６，８ａ，６，５ａ，６，７ａが、それぞれ入力端子６，４，６，６，６，８，６，５，６，７に端部を有しており、それによって、機器特有の回路、本図では例えばコンピュータ回路４に接続される。
【００３８】
コントローラ／トランシーバ５０は図８の表示では、絶縁体９５に収容されている。
【符号の説明】
【００３９】
１  第一の機器、例えばコンピュータ
２  第二の機器、装置、受信機器、例えばハードディスク
３  ハウジング
４  機器特有の回路、例えばコンピュータ回路
５  出力部、出力端子、電気的出力端子
６．０−６．８  コネクタ１１の入力端子
６．０ａ−６．８ａ  コネクタ１１の出力端子
７，１；７，２；７，６  導体端子
８，１；８，２；８，３  コネクタ１３の入力部
９，１；９，２；…  ハードディスク入力端子
１０  差込接続部もしくは機器用差込接続部、例えばＵＳＢ３差込接続部
１１  コネクタ、例えばＵＳＢ３コネクタ、例えばコンピュータコネクタ
１２  ケーブル、例えばＵＳＢ３ケーブル
１２Ａ  ケーブル、例えばＵＳＢ３．５ケーブル
１３  コネクタ、装置用コネクタ、ハードディスクコネクタ、例えばＵＳＢ３コネク          タ
１３Ａ  コネクタ、装置用コネクタ、ハードディスクコネクタ、例えばＵＳＢ３Ａコ            ネクタ
５０  コントローラ／トランシーバ（制御装置／送受信装置）
５１  コントローラ部分
５２  トランシーバ部分
５３  コントローラおよびトランシーバ駆動手段
６０  電気光学的コンバータ
６１  光電気コンバータ
６２−６５  回路
９５  絶縁体
１０１  光学的／電気的差込接続部
１１０  コンピュータ
１１１  ハイブリッドコネクタ、ハイブリッド機器用コネクタ、コンピュータコネク            タ
１１２  ケーブル
１１３  ハイブリッドコネクタ、ハイブリッド装置用コネクタ、ハードディスクコネクタ
２１０  ハードディスク
８５７  光学的導体
８６４  光学的導体
【図７】
2014501017.tif 000003
【図８】
2014501017.tif 000004
【図１】
2014501017.tif 000005
【図２】
2014501017.tif 000006
【図３】
2014501017.tif 000007
【図４】
2014501017.tif 000008
【図５】
2014501017.tif 000009
【図６】
2014501017.tif 000010
【国際調査報告】
2014501017.tif 000011
2014501017.tif 000012
2014501017.tif 000013
2014501017.tif 000014
2014501017.tif 000015
2014501017.tif 000016